(57)【要約】【課題】  遊技球の好適な循環を実現することができる異物排出路を提供する。【解決手段】  流下する遊技球を流下方向に複数列で整列させるために、前記遊技球の径大の間隔で前記流下方向に直交する方向に複数立設され、遊技球の流下方向に仰角をなす傾斜部を有する仕切り板が形成された有底の整流部と、前記遊技球を流下させると共に遊技球以外の異物を落下させるために、簀状とされた無底の排出樋部とを有する異物排出路であって、隣接する前記傾斜部のなす仰角が互いに異なり、前記整流部の、遊技球の流下方向の下流に流下方向を同じくして前記排出樋部を設けた。【選択図】      図１
2006068483.tif 000002
【特許請求の範囲】
【請求項１】
流下する遊技球を流下方向に複数列で整列させるために、前記遊技球の径大の間隔で前記流下方向に直交する方向に複数立設され、遊技球の流下方向に仰角をなす傾斜部を有する仕切り板が形成された有底の整流部と、
前記遊技球を流下させると共に遊技球以外の異物を落下させるために、簀状とされた無底の排出樋部とを有する異物排出路であって、
隣接する前記仕切り板の各々の傾斜部のなす仰角が互いに異なり、
前記排出樋部は、前記整流部の、遊技球の流下方向の下流に流下方向を同じくして設けられたことを特徴とする異物排出路。
【請求項２】
流下する遊技球を流下方向に複数列で整列させるために、前記遊技球の径大の間隔で前記流下方向に直交する方向に複数立設され、遊技球の流下方向に仰角をなす傾斜部を有する仕切り板が形成された有底の整流部と、
前記遊技球を流下させると共に遊技球以外の異物を落下させるために、簀状とされた無底の排出樋部とを有する異物排出路であって、
隣接する前記仕切り板の各々の傾斜部のなす仰角が互いに異なり、
遊技球の流下方向を同じくして、２つの排出樋部が前記整流部を挟んで設置されることを特徴とする異物排出路。
【請求項３】
流下する遊技球を流下方向に複数列で整列させるために、前記遊技球の径大の間隔で前記流下方向に直交する方向に複数立設され、遊技球の流下方向に仰角をなす傾斜部を有する仕切り板が底部に形成された有底の整流部と、
前記遊技球を流下させると共に遊技球以外の異物を落下させるために、簀状とされた無底の排出樋部とを有する異物排出路であって、
隣接する前記仕切り板の各々の傾斜部のなす仰角が互いに異なり、
少なくとも１つの仕切り板の前記傾斜部の頂部には、前記底部に対してほぼ垂直に立ち上がった球崩し部が形成され、
前記排出樋部は、前記整流部の、遊技球の流下方向の下流に流下方向を同じくして設けられたことを特徴とする異物排出路。
【請求項４】
流下する遊技球を流下方向に複数列で整列させるために、前記遊技球の径大の間隔で前記流下方向に直交する方向に複数立設され、遊技球の流下方向に仰角をなす傾斜部を有する仕切り板が底部に形成された有底の整流部と、
前記遊技球を流下させると共に遊技球以外の異物を落下させるために、簀状とされた無底の排出樋部とを有する異物排出路であって、
前記傾斜部は、それら全ての頂部が遊技球の流下方向に直交して並ぶように形成され、
隣接する前記仕切り板の各傾斜部のなす仰角が互いに異なり、
少なくとも１つの仕切り板の前記傾斜部の頂部には、前記底部に対してほぼ垂直に立ち上がった球崩し部が形成され、
前記排出樋部は、前記整流部の、遊技球の流下方向の下流に流下方向を同じくして設けられたことを特徴とする異物排出路。
【発明の詳細な説明】
【技術分野】
【０００１】
この発明は、各遊技機から搬送される遊技球を収集し、整流し、遊技球に紛れた異物などを排出する異物排出路に関するものである。
【背景技術】
【０００２】
従来より、遊技店には、複数台のパチンコ機を並列設置するための遊技設備（いわゆる「遊技島」）が据え付けられている。そして、前記遊技設備の内部には、パチンコ機から排出される遊技球を回収し、循環させるための各種装置が装備されている。具体的には、各パチンコ機に対応配置され、排出された遊技球を受け入れるアウトタンク、そのアウトタンクで受け入れた遊技球を回収し、搬送する回収樋（いわゆる「溝樋」）、及びその回収樋で回収された遊技球を研磨し、揚送する揚送研磨装置等が装備されている。
【０００３】
近時、このような遊技設備には、パチンコ機のみならず、遊技球を使用したスロットマシンを設置する提案がなされている。
【０００４】
１つの遊技設備に、パチンコ機及び遊技球を使用したスロットマシン等の遊技機を並設する場合にあっては、それらの遊技機から排出される遊技球が一層多量になる。
【０００５】
このように、多量の遊技球が流下すると、遊技球の流路をなす樋上にて球詰まりが生じやすくなる問題がある。
【０００６】
加えて、遊技機から排出された遊技球にビス等の異物が付着して、前記回収樋を流下する遊技球を移送力として流下し、その先に設置される揚送研磨装置内に異物が流入して、その揚送研磨装置を故障させる可能性が高くなってしまっていた。
【０００７】
このような問題に対し、特許文献１では、遊技球の流下方向に上り傾斜をなす仕切り板を、簀状に形成される無底の樋部に複数立設して、遊技球の分流を行うことで、遊技球を複数列に整流すると共に、整流された遊技球に付着した異物を前記排出樋部に排出する玉通路が提案されている。
【０００８】
また、特許文献２には、異物を排出するために無底とされ、遊技球の分流を行う第１の整流部と、その流下方向下流に、異物を排出する必要がなく有底とされ、遊技球の分流を行う第２の整流部とを設けた誘導樋が提案されている。
【０００９】
【特許文献１】特開平５６−３０８５号公報
【特許文献２】実用新案登録第３００１３４０号公報
【発明の開示】
【発明が解決しようとする課題】
【００１０】
しかしながら、特許文献１に記載の玉通路にあっては、多量の遊技球が積み重なった状態で流下することから、仕切り板の傾斜部上に浮上しつつ分流される遊技球も存在することになる。このとき、隣り合う仕切り板により形成される１つの流路に、積み重なった状態の複数の遊技球が流れ込むことになるため、当該隣り合う仕切り板間にて、いわゆる遊技球のブリッジ現象が生じることもあった。
【００１１】
その場合、遊技球に付着した異物の排出を好適に行うことができず、遊技球の好適な循環（流下）が妨げられてしまうという問題があった。
【００１２】
また、特許文献２に記載の技術は、２つの第１の整流部に対して、第２の整流部が１つ設けられているので、前記第１の整流部の合流領域において遊技球の挙動が不安定になる可能性が高く、第２の整流部において遊技球を整流する負担が大きい。従って、このような連結構成により遊技球の好適な循環（流下）が妨げられてしまうという問題があった。
【００１３】
さらに、第１の整流部のように、無底とされた整流部を具備することによって異物の排出と遊技球の整流とが同時に行われるように構成されているが、循環を効率よく行うために、遊技球は勢いよく流下してくるので、整流部の構成部材に強く当たることが多い。従って、異物を排出するために無底とされた整流部の構成部材が破損し、整流効率を低下させ、結果として遊技球の循環を妨げる虞れがあった。
【００１４】
本発明は、上述のような問題点に鑑みてなされたものであり、その目的は、遊技球の好適な循環を実現することができる異物排出路を提供することにある。
【課題を解決するための手段】
【００１５】
上記課題を解決するために、請求項１に記載の発明に係る異物排出路は、流下する遊技球を流下方向に複数列で整列させるために、前記遊技球の径大の間隔で前記流下方向に直交する方向に複数立設され、遊技球の流下方向に仰角をなす傾斜部を有する仕切り板が形成された有底の整流部と、前記遊技球を流下させると共に遊技球以外の異物を落下させるために、簀状とされた無底の排出樋部とを有する異物排出路であって、隣接する前記仕切り板の各々の傾斜部のなす仰角が互いに異なり、前記排出樋部は、前記整流部の、遊技球の流下方向の下流に流下方向を同じくして設けられたことを特徴とする。
【００１６】
かかる構成とすることにより、集まった遊技球を有効に分散させるために、隣接する傾斜部の仰角を互いに異ならしめた仕切り板が並設された整流部を有底とし、遊技球に付着した異物を排出する排出樋部を無底としてそれぞれの役割を明確に分担させたので、有底の整流部で分流された遊技球１つ１つに対して、排出樋部で異物を有効に排出する機会を与えることができ、結果として、遊技球の好適な循環を実現することができる。
【００１７】
また、前記整流部が有底とされているので、当該整流部に設置される複数の仕切り板は、無底の整流部に設置される仕切り板よりも強固に設置されるので、勢いよく流下してくる遊技球に対して仕切り板の位置や形状が変化することが少なく、集まった遊技球を確実に分散させることができる。
【００１８】
さらに、整流部によって整流された遊技球について、付着した異物を排出樋部で排出するので、整流されない状態（ダンゴ状に集まった状態）の遊技球に対して、付着した異物を排出するよりも効率よく異物の排出が行え、遊技球の好適な循環を実現することができる。
【００１９】
上記課題を解決するために、請求項２に記載の発明に係る異物排出路は、流下する遊技球を流下方向に複数列で整列させるために、前記遊技球の径大の間隔で前記流下方向に直交する方向に複数立設され、遊技球の流下方向に仰角をなす傾斜部を有する仕切り板が形成された有底の整流部と、前記遊技球を流下させると共に遊技球以外の異物を落下させるために、簀状とされた無底の排出樋部とを有する異物排出路であって、隣接する前記仕切り板の各々の傾斜部のなす仰角が互いに異なり、遊技球の流下方向を同じくして、２つの排出樋部が前記整流部を挟んで設置されることを特徴とする。
【００２０】
かかる構成とすることにより、前記整流部の上流側の排出樋部において、遊技球に付着した異物を排出し、その後、前記整流部において整流された各遊技球に付着した異物を、前記整流部の下流側の排出樋部において再び排出することができる。従って、遊技球を整流する役割に特化した整流部と、異物を排出する役割に特化した排出樋部とに分けることで確実にそれぞれの役割を果たすことができるだけでなく、遊技球に付着した異物を排出する機会を増やし、遊技球の好適な循環を実現することができる。
【００２１】
上記課題を解決するために、請求項３に記載の発明に係る異物排出路は、流下する遊技球を流下方向に複数列で整列させるために、前記遊技球の径大の間隔で前記流下方向に直交する方向に複数立設され、遊技球の流下方向に仰角をなす傾斜部を有する仕切り板が底部に形成された有底の整流部と、前記遊技球を流下させると共に遊技球以外の異物を落下させるために、簀状とされた無底の排出樋部とを有する異物排出路であって、隣接する前記仕切り板の各々の傾斜部のなす仰角が互いに異なり、少なくとも１つの仕切り板の前記傾斜部の頂部には、前記底部に対してほぼ垂直に立ち上がった球崩し部が形成され、前記排出樋部は、前記整流部の、遊技球の流下方向の下流に流下方向を同じくして設けられたことを特徴とする。
【００２２】
かかる構成とすることにより、隣接する仕切り板にそれぞれ設けられる各傾斜部の仰角を互いに異ならせるだけでなく、ほぼ垂直に立ち上がった球崩し部を前記傾斜部に設けることで、ブリッジ現象の発生を低下させることができ、遊技球の好適な循環を実現することができる。
【００２３】
上記課題を解決するために、請求項４に記載の発明に係る異物排出路は、流下する遊技球を流下方向に複数列で整列させるために、前記遊技球の径大の間隔で前記流下方向に直交する方向に複数立設され、遊技球の流下方向に仰角をなす傾斜部を有する仕切り板が底部に形成された有底の整流部と、前記遊技球を流下させると共に遊技球以外の異物を落下させるために、簀状とされた無底の排出樋部とを有する異物排出路であって、前記傾斜部は、それら全ての頂部が遊技球の流下方向に直交して並ぶように形成され、隣接する前記仕切り板の各傾斜部のなす仰角が互いに異なり、少なくとも１つの仕切り板の前記傾斜部の頂部には、前記底部に対してほぼ垂直に立ち上がった球崩し部が形成され、前記排出樋部は、前記整流部の、遊技球の流下方向の下流に流下方向を同じくして設けられたことを特徴とする。
【００２４】
かかる構成のように、隣接する仕切り板にそれぞれ設けられる各傾斜部の仰角を互いに異ならせ、前記各傾斜部の頂部を結ぶ直線が遊技球の流下方向に直交するように前記各傾斜部を形成しているので、前記傾斜部の終点においても前記傾斜部上に存する遊技球が重なり合ってバランスを崩して整流されるという効果を奏する。
【発明の効果】
【００２５】
以上のように、本発明によれば、隣接する傾斜部の仰角が互いに異なるように仕切り板を設けたので、集まった遊技球の各々が傾斜部上でバランスを失って分散しやすくなり、特許文献１に記載の玉通路において生じうるブリッジ現象を防ぐことができ、結果として遊技球の好適な循環を実現できる。
【００２６】
また、前記傾斜部に球崩し部を設けたので、その球崩し部に集まった遊技球が衝突して分散しやすくなり、特許文献１に記載の玉通路において生じうるブリッジ現象を防ぐことができ、遊技球に付着した異物の排出を好適に行うことができ、結果として遊技球の好適な循環を実現できる。
【００２７】
また、少なくとも、異物を排出させる無底の排出樋部の上流側に、隣接する傾斜部を互いに異ならしめた有底の整流部を同じ方向で列設したので、特許文献２に記載の誘導樋のように、前記第１の整流部の合流領域において遊技球の挙動が不安定になることはなく、第２の整流部（本発明の整流部に相当）において遊技球を整流する負担も軽減できる。従って、遊技球の好適な循環を実現できる。そして、２つの排出樋部に前記整流部が挟まれるように設置することにより、異物の排出機会を増やし、遊技球の好適な循環を促進する。
【００２８】
さらに、特許文献１及び特許文献２のように、整流部を無底とした構造にせず、集まった遊技球を有効に分散させるために、隣接する傾斜部の仰角を互いに異ならしめた仕切り板が並設された整流部と、遊技球に付着した異物を排出する排出樋部とに、それぞれの役割を明確に分担させたので、有底の整流部で分流された遊技球１つ１つに対して、排出樋部で異物を有効に排出する機会を与えることができ、結果として、遊技球の好適な循環を実現することができる。
【００２９】
加えて、仕切り板が並設された整流部を有底としたことによって、仕切り板（上記「整流部の構成部材」に該当）が破損しにくくなり、整流効率を低下させることがない。
【発明を実施するための最良の形態】
【００３０】
以下、本発明に係る異物排出路の一実施形態について図面を参照して詳細に説明する。
【００３１】
図１は、本発明に係る異物排出路の一実施形態における構成を示す上面図であり、図２は、本発明に係る異物排出路の一実施形態における構成を示す断面図である。
【００３２】
本発明に係る異物排出路は、遊技島に設置されるパチンコ機から排出された使用済みの遊技球を回収する回収樋と、遊技島中央に設置され、かつ搬送ベルトによって遊技島の上方に揚送する揚送研磨装置との間に設けられる。従って、図示していないが、本発明に係る異物排出路の上流側（遊技球が流下してくる側）には、回収樋が設置されており、下流側（遊技球が流下していく側）には、揚送研磨装置が設置されている。例えば、遊技島中央に設置された揚送研磨装置の両側に、本発明に係る異物排出路を挟んで回収樋がＶ字状に取り付けられている。そして、前記揚送研磨装置によって揚送・研磨された遊技球は、遊技島の上方に設置された補給樋を介して各パチンコ機に再び供給される。すなわち、本実施形態にいう遊技球の「流下方向」とは、前記回収樋から前記揚送研磨装置へ遊技球が流れていく方向を指す。
【００３３】
図１に示すように、本発明に係る異物排出路１は、遊技球の流下方向に従って、上流側から、排出樋部１２、整流部１１、排出樋部１２の順で設置され、整流部１１が２つの排出樋部１２に挟まれるように設置されている。
【００３４】
整流部１１は、流下する遊技球を流下方向に複数列で整列させるための平板形状をなす仕切り板１１１が複数設置されている。
【００３５】
この仕切り板１１１はそれぞれ、前記遊技球の流下方向に直交する方向に各平板面を対向させて整流部１１の底部１１０上に立設される。そして、各仕切り板１１１は、前記遊技球の径大の間隔（各平板面間の間隔）で底部１１０に並設されている。従って、整流部１１は有底の構造をなす。
【００３６】
一方、排出樋部１２は、平板やパイプ等の流路形成部材１２０を、遊技球の径よりも小さい間隔で複数配設して簀形状をなす無底の樋である。従って、遊技球は、２本の流路形成部材１２０，１２０をレールのようにして当該遊技球の下部を挟めて流下方向に流下するのである。このとき、遊技球以外の異物は、前記流路形成部材１２０，１２０の間から落下するようになっている。
【００３７】
従って、回収樋から異物排出路１に流入した遊技球は、上流側の排出樋部１２において、流路形成部材１２０，１２０間を跨ぎながら流下し、このときにいくらかの異物が流路形成部材１２０間から落下（排出）する。
【００３８】
ここで、上流側の排出樋部１２を流下する遊技球は、流路形成部材１２０、１２０を跨いで流下するものばかりではない。遊技球は、ここでは整流されていない状態なので、多少ダンゴ状に集まって流下するものも存在し、遊技球が整流されていない分、遊技球同士の衝突などによっても、無底とされた排出樋部１２を構成する流路形成部材１２０，１２０間に異物を排出する機会が生じる。
【００３９】
整流部１１に流入した遊技球は、等間隔で並設された複数の仕切り板１１１によって、仕切り板１１１，１１１間を１列になって流下するように整流される。
【００４０】
ここで、整流部１１と、前記上流側の排出樋部１２と、後述する下流側の排出樋部１２との接続態様は、前記上流側の排出樋部１２の流路形成部材１２０，１２０によって形成された流路を流下する遊技球が、整流部１１に形成された仕切り板１１１，１１１の間に流入し、後述する下流側の排出樋部１２の流路形成部材１２０，１２０によって形成された流路を流下してその流路が一直線となるように位置合わせされている。
【００４１】
その後、下流側の排出樋部１２に流入した遊技球は、整流部１１で１列ずつに整流された状態で流路形成部材１２０，１２０を跨ぎながら流下していく。このとき、下流側の排出樋部１２を流下する遊技球に付着した異物は、整流部１１を経て１列に整流された分、上流側の排出樋部１２を流下する遊技球に付着した異物とは異なる態様で有効に排出することができる。
【００４２】
図２に示すように、仕切り板１１１には、遊技球の流下方向に仰角をなす傾斜部１１１１が形成されている。そして、傾斜部１１１１は、各仕切り板１１１、特に隣接する仕切り板１１１同士で互いに異なる仰角をなしている。例えば、底部１１０に平板状の仕切り板１１１が６枚並設されているとすると、底部１１０に対してそれぞれ、３０°，１５°，２０°，３０°，１５°，２０°といった仰角をなす傾斜部１１１１が形成される。
【００４３】
ここで、排出樋部１２は、本発明に係る異物排出路において、異物を取り除くために設けられる構成要素である。従って、異物を効率的に取り除くために、遊技球がなるべく低段で規則正しい配列をしていることが望ましい。すなわち、本発明に係る異物排出路は、少なくとも、遊技球を低段で規則正しい配列に整流させる整流部１１にて流下させた後に排出樋部１２（下流側の排出樋部１２）にて異物を排出する構成を有するものである。
【００４４】
そして、望ましくは、整流部１１が２つの排出樋部１２に挟まれるような連結構成をなすことにより、上流側の排出樋部１２で、未だ整然とされていない遊技球群に紛れた異物を排出する試みをし、整流部１１にて遊技球を整流した後に、下流側の排出樋部１２で整然とされた遊技球群に紛れた異物を排出する機会を得ることができるので、異物の排出機会が増え、異物の排出を効率的に行うことができる。ここでいう異物は、遊技島内に混入したコインやビス等に限られない。排出樋部を整流部１１の上流側に設けることは、有効な整流を行う前作業として、遊技球に付着したゴミ等を排出することができ、有用である。
【００４５】
そしてまた、図２に示すように、本実施形態の異物排出路１には、整流部１１の下流側の排出樋部１２においてもなお重なっている遊技球を１段に均す役割を担う蓋部１３が設けられている。
【００４６】
一方、前述したように、異物を効率的に排出するためには、遊技球を整列させた上で排出することが望ましい。そこで、本実施形態の仕切り板１１１に形成された傾斜部１１１１には、隣接する仕切り板１１１同士が異なる仰角で形成されていることから、ダンゴ状に集まって複数段に重なってしまった遊技球が流下に伴う応力で互いに押し合い、傾斜部１１１１に乗り上げてしまった場合であっても、隣り合う仕切り板１１１の傾斜部１１１１の仰角が互いに相違するために、それらの隣り合う仕切り板１１１の傾斜部１１１１からの落下高さが相違するので、遊技球が互いに重なって整流部１１の底部１１０に落下することになる。従って、ダンゴ状に集まって複数段に重なってしまった遊技球が流下した場合であっても、そのバランスを崩して分散せしめ、整流できるようになっている。
【００４７】
図３は、本発明に係る異物排出路の一実施形態における整流部の構成を示す断面図であり、図１のＡ−Ａ断面図である。また、図４は、本発明に係る異物排出路の一実施形態における仕切り板の構成を示す断面図であり、図３のＢ−Ｂ断面図、Ｃ−Ｃ断面図及びＤ−Ｄ断面図である。
【００４８】
図３及び図４に示すように、本実施形態の整流部１１は、複数の仕切り板１１１ａ〜１１１ｆが、遊技球の流下方向（図示面と垂直方向）に直交する方向に所定間隔をもって、底部１１０に立設している有底構造をなしている。そして、隣接する仕切り板１１１，１１１の間隔（例えば、仕切り板１１１ａと仕切り板１１１ｂとの間隔）は、仕切り板１１１，１１１の間を１列の遊技球が通過できるように、遊技球の径大に各々設定されている。
【００４９】
また、仕切り板１１１ａ〜１１１ｆには、前述したように、遊技球の流下方向に仰角をなす傾斜部１１１１がそれぞれ形成されており、隣接する仕切り板１１１（例えば、仕切り板１１１ｂと仕切り板１１１ａ又は仕切り板１１１ｃとの組み合わせ）の傾斜部１１１１の仰角は、それぞれ異なるように形成されている。
【００５０】
図３では、仕切り板１１１ａ〜１１１ｆのうち、仕切り板１１１ｂから１１１ｄにつれて、仰角が大きくなるように各傾斜部１１１１が形成されていることを示している。同様に、仕切り板１１１ｅから１１１ｆにつれてもまた、仰角が大きくなるように各傾斜部１１１１が形成されている。また、本実施形態では、仕切り板１１１ａと１１１ｄとが同じ仰角、仕切り板１１１ｂと１１１ｅとが同じ仰角、仕切り板１１１ｃと１１１ｆとが同じ仰角に設定してある。
【００５１】
また、仕切り板１１１ａ〜１１１ｆのうち、仕切り板１１１ｂ（１１１ｅ）及び１１１ｃ（１１１ｆ）には、球崩し部１１１２が形成されている。
【００５２】
本実施形態では、仕切り板１１１ａ及び１１１ｄの傾斜部１１１１ａ（以下、例えば、仕切り板１１１ｃに形成された傾斜部１１１１を１１１１ｃとする。）及び１１１ｄには、球崩し部１１１２を形成せず、それ以外の仕切り板１１１ｂ、１１１ｃ、１１１ｅ及び１１１ｆには、球崩し部１１１２を形成している。
【００５３】
球崩し部１１１２は、集まった遊技球が衝突することによって分散しやすくなり、ブリッジ現象の発生を防ぐという機能の他に、底部１１０に対してほぼ垂直に立ち上がった形状をなすことから、上流側の排出樋部１２から勢いよく整流部１１に流入した一部の遊技球を弾き飛ばして、整流部１１への遊技球の流入に時間差をつける機能も有する。
【００５４】
従って、本実施形態では、図４に示すように、仕切り板１１１ａ（１１１ｄ）の傾斜部１１１１ａ（１１１１ｄ）の頂部に合わせて、各球崩し部１１１２（以下、例えば、仕切り板１１１ｃに形成された球崩し部１１１２を１１１２ｃとする。）が、底部１１０に対してほぼ垂直に立ち上がっている。ここで、各仕切り板１１１の最大高さは、仕切り板１１１ａ（１１１ｄ）の傾斜部１１１１の頂部に合わせているので、仕切り板１１１ａ及び１１１ｄに球崩し部は形成されない。
【００５５】
なお、本実施形態では、仕切り板１１１ａ〜１１１ｆのうち、仕切り板１１１ａ及び１１１ｄには球崩し部が形成されない構成を示したが、仕切り板１１１ａ及び１１１ｄに球崩し部を形成する場合には、仕切り板１１１ａ（１１１ｄ）の傾斜部１１１１ａ（１１１１ｄ）の頂部と、他の仕切り板の傾斜部（例えば傾斜部１１１１ｂ）の頂部とを結ぶ直線が、遊技球の流下方向に直交するように仕切り板１１１ａ（１１１ｄ）の傾斜部１１１１ａ（１１１１ｄ）を形成すると共に、底部１１０に対してほぼ垂直に立ち上がった球崩し部を傾斜部１１１１ａ（１１１１ｄ）の頂部から形成すればよい。このとき、球崩し部が形成された仕切り板１１１ａ及び１１１ｄのそれぞれの最大高さは、他の仕切り板（１１１ｂ，１１１ｃ，１１１ｅ及び１１１ｆ）の最大高さにあわせることが好ましい。
【００５６】
このように傾斜部１１１１（及び球崩し部１１１２）が形成された複数の仕切り板１１１を備えた整流部１１は、加工性が高い樹脂などによって製造される。
【００５７】
以上説明したように、本発明によれば、隣接する傾斜部の仰角が互いに異なるように仕切り板を設けたので、遊技球の流入高さを異ならしめ、ブリッジ現象の発生を防ぐことができ、遊技球に付着した異物の排出を好適に行うことができ、結果として遊技球の好適な循環を実現できる。
【００５８】
また、傾斜部１１１１に球崩し部１１１２を設けたので、集まった遊技球が球崩し部１１１２に衝突して分散しやすくなり、ブリッジ現象の発生を防ぐことができ、遊技球に付着した異物の排出を好適に行うことができ、結果として遊技球の好適な循環を実現できる。
【００５９】
また、少なくとも、排出樋部１２の上流側（遊技球の流下方向上流側）に、整流部１１を同じ方向（遊技球の流下方向）で列設したので、これらの構成によって遊技球の挙動を不安定にさせることなく、遊技球の整流の負担も軽減できる。従って、遊技球の好適な循環を実現できる。そして、２つの排出樋部に整流部１１が挟まれるように設置することにより、異物の排出機会を増やし、遊技球の好適な循環を促進する。
【００６０】
さらに、整流部１１を無底ではなく、隣接する傾斜部の仰角を互いに異ならしめた仕切り板１１１を底部１１０に複数立設した有底の構造として、集まった遊技球を分散させる機能を担わせ、排出樋部１２には、遊技球に付着した異物を排出する機能を担わせて、それぞれの役割を明確に分担させたので、有底の整流部１１で分流された遊技球１つ１つに対して、排出樋部１２で異物を有効に排出する機会を与えることができ、結果として、遊技球の好適な循環を実現することができる。
【００６１】
加えて、仕切り板が並設された整流部を有底としたことによって、遊技球の衝突に起因する仕切り板の破損が少なくなるので、整流効率を低下させることがない。
【図面の簡単な説明】
【００６２】
【図１】本発明に係る異物排出路の一実施形態における構成を示す上面図。
【図２】本発明に係る異物排出路の一実施形態における構成を示す断面図。
【図３】本発明に係る異物排出路の一実施形態における整流部の構成を示す断面図。
【図４】本発明に係る異物排出路の一実施形態における仕切り板の構成を示す断面図。
【符号の説明】
【００６３】
１  異物排出路
１１  整流部
１２  排出樋部
１３  蓋部
１１０  底部
１１１  仕切り板
１２０  流路形成部材
１１１１  傾斜部
１１１２  球崩し部
【図１】
2006068483.tif 000003
【図２】
2006068483.tif 000004
【図３】
2006068483.tif 000005
【図４】
2006068483.tif 000006
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
流下する遊技球を流下方向に複数列で整列させるために、前記遊技球の径大の間隔で前記流下方向に直交する方向に複数立設され、遊技球の流下方向に仰角をなす傾斜部を有する仕切り板が形成された有底の整流部と、
前記遊技球を流下させると共に遊技球以外の異物を落下させるために、簀状とされた無底の排出樋部とを有する異物排出路であって、
隣接する前記仕切り板の各々の傾斜部のなす仰角が互いに異なり、
前記排出樋部は、前記整流部の、遊技球の流下方向の下流に流下方向を同じくして設けられたことを特徴とする異物排出路。
【手続補正２】
【補正対象書類名】明細書
【補正対象項目名】００１５
【補正方法】変更
【補正の内容】
【００１５】
上記課題を解決するために、本願発明に係る異物排出路は、流下する遊技球を流下方向に複数列で整列させるために、前記遊技球の径大の間隔で前記流下方向に直交する方向に複数立設され、遊技球の流下方向に仰角をなす傾斜部を有する仕切り板が形成された有底の整流部と、前記遊技球を流下させると共に遊技球以外の異物を落下させるために、簀状とされた無底の排出樋部とを有する異物排出路であって、隣接する前記仕切り板の各々の傾斜部のなす仰角が互いに異なり、前記排出樋部は、前記整流部の、遊技球の流下方向の下流に流下方向を同じくして設けられたことを特徴とする。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】変更
【補正の内容】
【００２７】
また、少なくとも、異物を排出させる無底の排出樋部の上流側に、隣接する傾斜部の仰角を互いに異ならしめた有底の整流部を同じ方向で列設したので、特許文献２に記載の誘導樋のように、前記第１の整流部の合流領域において遊技球の挙動が不安定になることはなく、第２の整流部（本発明の整流部に相当）において遊技球を整流する負担も軽減できる。従って、遊技球の好適な循環を実現できる。